【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
ユーザ端末（ＵＥ）の多重接続状態を判断して直交性と関連した情報及び直交性割当方式を指示することができるサイクリックシフトパラメータを決定し、
前記決まったサイクリックシフトパラメータを前記ユーザ端末に送信することを含み、
前記直交性と関連した情報は、レイヤ間の直交性保証及びユーザ端末間を区分するための用途のうち、少なくとも１つの用途に使われる直交性カバーコード（ＯＣＣ：orthogonal cover code）を含み、かつ前記サイクリックシフトパラメータにより指示され、
前記直交性割当方式は、前記サイクリックシフトパラメータによって同一方式あるいは非同一方式に決まり、
前記ユーザ端末がＳＵ−ＭＩＭＯ（Single User Multiple Input Multiple Output）状況であれば、前記非同一方式に適用される前記ＣＳパラメータを決定し、前記ユーザ端末がＭＵ−ＭＩＭＯ（Multi User Multiple Input Multiple Output）状況であれば、前記同一方式に適用される前記ＣＳパラメータを決定することを特徴とする、サイクリックシフト（ＣＳ）パラメータを送信する方法。
【請求項２】
ＭＵ−ＭＩＭＯ状況の第１ユーザ端末、第２ユーザ端末に対してサイクリックシフトパラメータを決定し、
前記第１ユーザ端末と前記第２ユーザ端末に対してサイクリックパラメータを決定することには
前記第１ユーザ端末が受信する第１サイクリックシフトパラメータを決定し、
前記第２ユーザ端末が受信する第２サイクリックシフトパラメータを決定することが含まれ、
前記第１サイクリックシフトパラメータで算出される前記直交性と関連した第１情報は、前記第２サイクリックシフトパラメータで算出される前記直交性と関連した第２情報と互いに異なることを特徴とする、請求項１に記載の方法。
【請求項３】
前記第１ユーザ端末に割り当てられた帯域と前記第２ユーザ端末に割り当てられた帯域とは同一でないことを特徴とする、請求項２に記載の方法。
【請求項４】
前記同一方式は、前記ユーザ端末の全てのレイヤに全て同一な直交性カバーコードを割り当てる方式であり、前記非同一方式は、最初のレイヤと２番目のレイヤに対しては第１直交性カバーコードを、３番目と４番目のレイヤに対しては第２直交性カバーコードを割り当てるか、あるいは最初と２番目のレイヤに対しては第２直交性カバーコードを、３番目と４番目のレイヤに対しては第１直交性カバーコードを割り当てる方式であることを特徴とする、請求項１に記載の方法。
【請求項５】
Ｎ（Ｎは、整数）個のレイヤに対して参照信号を生成し、これを転送する端末にサイクリックシフトパラメータを転送する方法であって、
各々のレイヤに対する参照信号生成に用いられる直交性カバーコード（orthogonal cover code：ＯＣＣ）を指示するサイクリックシフトパラメータを決定し、
前記決定されたサイクリックシフトパラメータを前記端末に送信することを含み、
前記サイクリックシフトパラメータは、共通集合が空集合である第１集合または第２集合の元となり、第１の直交性カバーコードを２番目のレイヤは第１レイヤと同一に割り当てて、前記第１の直交性カバーコードと異なる第２の直交性カバーコードを第３レイヤは第４レイヤと同一に割り当てる場合、前記第１集合のいずれか１つの元が前記サイクリックシフトパラメータとして決まり、
前記直交性カバーコードを全てのレイヤに対して同一に割り当てる場合には、前記第２集合のいずれか１つの元が前記サイクリックシフトパラメータとして決まることを特徴とする、方法。
【請求項６】
前記サイクリックシフトパラメータは、最初のレイヤのサイクリックシフトパラメータ値が各々０、６、３、４、２、８、１０、９であることを指示する０００、００１、０１０、０１１、１００、１０１、１１０、１１１の３ビットで表現されるパラメータであって、
前記第１集合の元となる前記サイクリックシフトパラメータは、前記最初のレイヤのサイクリックシフトパラメータ値が各々０、６、３、９であることを指示する０００、００１、０１０、１１１であり、前記第２集合の元となる前記サイクリックシフトパラメータは、前記最初のレイヤのサイクリックシフトパラメータ値が各々４、２、８、１０であることを指示する０１１、１００、１０１、１１０であることを特徴とする、請求項５に記載の方法。
【請求項７】
前記第２集合の元となる前記サイクリックシフトパラメータのうち、
前記直交性カバーコードに［＋１、＋１］が全てのＮレイヤに対して同一に割り当てられる場合には、前記最初のレイヤのサイクリックシフトパラメータ値が各々４、２であることを指示する０１１、１００のうちの１つが前記サイクリックシフトパラメータとして決まり、
前記直交性カバーコードに［＋１、−１］が全てのＮレイヤに対して同一に割り当てられる場合には、前記最初のレイヤのサイクリックシフトパラメータ値が各々８、１０であることを指示する１０１、１１０のうちの１つが前記サイクリックシフトパラメータとして決まる、
請求項６に記載の方法
【請求項８】
Ｎ個（Ｎは、整数）のレイヤに対して参照信号を生成し、これを転送するユーザ端末の方法であって、
ｅＮｏｄｅＢから受信したサイクリックシフトパラメータが含まれた制御情報から第１レイヤに対するサイクリックシフトパラメータ値を算出し、前記第１レイヤの以外に追加で他のレイヤを使用する場合、残りのレイヤの各々に対するサイクリックシフトパラメータ値を算出し、
前記サイクリックシフトパラメータで前記第１レイヤに対する直交性カバーコード（Orthogonal Cover Code）を算出し、前記第１レイヤの以外に追加で他のレイヤを使用する場合、残りのレイヤの各々に対する直交性カバーコードを算出し、
前記第１レイヤに対するサイクリックシフトパラメータ値及び直交性カバーコードを用いて前記第１レイヤに対する参照信号を生成し、
前記第１レイヤの以外に追加で他のレイヤを使用する場合、前記他のレイヤの各々に対する前記サイクリックシフトパラメータ値及び前記他のレイヤの各々に対する前記直交性カバーコードを用いて前記他のレイヤの各々に対する参照信号を生成し、
前記生成された参照信号を前記基地局に転送することを含み、
前記サイクリックシフトパラメータは共通集合が空集合である第１集合または第２集合の元となり、
前記サイクリックシフトパラメータが第１集合の元の場合には、第２レイヤの直交性カバーコードは第１レイヤの直交性カバーコードと同一であるが、第３レイヤ及び第４レイヤの直交性カバーコードは第１レイヤの直交性カバーコードと同一でなく、
前記サイクリックシフトパラメータが第２集合の元の場合には、全てのＮレイヤに対して直交性カバーコードが同一であることを特徴とする、方法。
【請求項９】
前記サイクリックシフトパラメータは、前記第１レイヤのサイクリックシフトパラメータ値が各々０、６、３、４、２、８、１０、９であることを指示する０００、００１、０１０、０１１、１００、１０１、１１０、１１１の３ビットで表現されるパラメータであって、
前記第１集合の元となる前記サイクリックシフトパラメータは、前記第１レイヤのサイクリックシフトパラメータ値が各々０、６、３、９であることを指示する０００、００１、０１０、１１１であり、前記第２集合のいずれか１つの元となる前記サイクリックシフトパラメータは、前記第１レイヤのサイクリックシフトパラメータ値が各々４、２、８、１０であることを指示する０１１、１００、１０１、１１０であることを特徴とする、請求項８に記載の方法。
【請求項１０】
前記第２集合の元となる前記サイクリックシフトパラメータに対し、
前記サイクリックシフトパラメータが前記第１レイヤのサイクリックシフトパラメータ値が各々４、２であることを指示する０１１、１００のうちの１つの場合には、前記直交性カバーコードとして［＋１、＋１］が全てのＮレイヤに対して同一に割り当てられ、前記サイクリックシフトパラメータが前記第１レイヤのサイクリックシフトパラメータ値が各々８、１０であることを指示する１０１、１１０のうちの１つの場合には、前記直交性カバーコードとして［＋１、−１］が全てのＮレイヤに対して同一に割り当てられることを特徴とする、請求項９に記載の方法。
【請求項１１】
Ｎ個（Ｎは、整数）のレイヤに対して参照信号を生成し、これを転送する端末にサイクリックシフトパラメータを転送するｅＮｏｄｅＢ装置であって、
各々のレイヤに対する参照信号生成に用いられる直交性カバーコード（orthogonal cover code：ＯＣＣ）を指示する前記サイクリックシフトパラメータを決定するサイクリックシフトパラメータ決定部と、
前記決まったサイクリックシフトパラメータが含まれた制御情報を前記ユーザ端末に送信するための信号を生成する信号生成部と、
前記信号をユーザ端末に送信し、前記ユーザ端末から前記参照信号を受信する送受信部と、を含み、
前記サイクリックシフトパラメータ決定部により決まる前記サイクリックシフトパラメータは、共通集合が空集合である第１集合または第２集合の元となり、第１の直交性カバーコードを２番目のレイヤでは第１レイヤと同一に割り当て、前記第１の直交性カバーコードと異なる第２の直交性カバーコードを第３レイヤと第４レイヤとでは第１レイヤと同一でないように割り当てる場合には、前記第１集合のいずれか１つの元が前記サイクリックシフトパラメータとして決まり、前記直交性カバーコードを全てのレイヤに対して同一に割り当てる場合には、前記第２集合の元が前記サイクリックシフトパラメータとして決まることを特徴とする、ｅＮｏｄｅＢ装置。
【請求項１２】
前記サイクリックシフトパラメータは、最初のレイヤのサイクリックシフトパラメータ値が各々０、６、３、４、２、８、１０、９であることを指示する０００、００１、０１０、０１１、１００、１０１、１１０、１１１の３ビットで表現されるパラメータであって、
前記第１集合の元となる前記サイクリックシフトパラメータは、前記最初のレイヤのサイクリックシフトパラメータ値が各々０、６、３、９であることを指示する０００、００１、０１０、１１１であり、前記第２集合のいずれか１つの元となる前記サイクリックシフトパラメータは、前記最初のレイヤのサイクリックシフトパラメータ値が各々４、２、８、１０であることを指示する０１１、１００、１０１、１１０であることを特徴とする、請求項１１に記載のｅＮｏｄｅＢ装置。
【請求項１３】
前記第２集合の元となる前記サイクリックシフトパラメータのうち、
前記直交性カバーコードに［＋１、＋１］が全てのレイヤに対して同一に割り当てられる場合には、前記最初のレイヤのサイクリックシフトパラメータ値が各々４、２であることを指示する０１１、１００のうちの１つが前記サイクリックシフトパラメータとして決まり、
前記直交性カバーコードに［＋１、−１］が全てのレイヤに対して同一に割り当てられる場合には、前記最初のレイヤのサイクリックシフトパラメータ値が各々８、１０であることを指示する１０１、１１０のうちの１つが前記サイクリックシフトパラメータとして決まる、請求項１２に記載のｅＮｏｄｅＢ装置。
【請求項１４】
Ｎ（Ｎは、整数）個のレイヤに対して参照信号を生成し、これを転送する端末装置であって、
基地局からサイクリックシフトパラメータが含まれた制御情報を受信する受信部と、
前記受信部が受信したサイクリックシフトパラメータが含まれた制御情報から第１レイヤに対するサイクリックシフトパラメータ値を算出し、前記第１レイヤの以外に追加で他のレイヤを使用する場合、残りのレイヤの各々に対するサイクリックシフトパラメータ値を算出するサイクリックシフトパラメータ算出部と、
前記サイクリックシフトパラメータで前記第１レイヤに対する直交性と関連した情報を算出し、前記第１レイヤの以外に追加で他のレイヤを使用する場合、残りのレイヤの各々に対する直交性と関連した情報を算出する直交性関連情報算出部と、
前記第１レイヤに対するサイクリックシフトパラメータ値及び前記第１レイヤに対する直交性と関連した情報を用いて前記第１レイヤに対する参照信号を生成し、前記第１レイヤの以外に追加で他のレイヤを使用する場合、前記残りのレイヤの各々に対する前記サイクリックシフトパラメータ値及び前記残りのレイヤの各々に対する直交性と関連した情報を用いて前記残りのレイヤの各々に対する参照信号を生成する参照信号生成部と、
前記生成された参照信号を前記基地局に転送する送信部と、を含み、
前記サイクリックシフトパラメータは共通集合が空集合である第１集合または第２集合の元となり、
前記サイクリックシフトパラメータが第１集合の元の場合には、前記直交性と関連した情報が第２レイヤでは第１レイヤと同一であるが、第３レイヤと第４レイヤでは第１レイヤと同一でなく、前記サイクリックシフトパラメータが第２集合の元の場合には、前記直交性と関連した情報が全てのレイヤに対して同一であることを特徴とする、端末装置。
【請求項１５】
直交性と関連した情報がサイクリックシフトパラメータにより指示された直交性カバーコードを含むことを特徴とする請求項１４に記載の端末装置。
【請求項１６】
前記サイクリックシフトパラメータは、第１レイヤのサイクリックシフトパラメータ値が各々０、６、３、４、２、８、１０、９であることを指示する０００、００１、０１０、０１１、１００、１０１、１１０、１１１の３ビットで表現されるパラメータであって、
前記第１集合の元となる前記サイクリックシフトパラメータは、前記第１レイヤのサイクリックシフトパラメータ値が各々０、６、３、９であることを指示する０００、００１、０１０、１１１であり、前記第２集合の元となる前記サイクリックシフトパラメータは、前記第１レイヤのサイクリックシフトパラメータ値が各々４、２、８、１０であることを指示する０１１、１００、１０１、１１０であることを特徴とする、請求項１４に記載の端末装置。
【請求項１７】
前記第２集合の元となる前記サイクリックシフトパラメータに対し、
前記サイクリックシフトパラメータが前記第１レイヤのサイクリックシフトパラメータ値が各々４、２であることを指示する０１１、１００のうちの１つの場合には、前記直交性と関連した情報は直交性カバーコードとして［＋１、＋１］が全てのＮレイヤに対して同一に割り当てられ、前記サイクリックシフトパラメータが前記第１レイヤのサイクリックシフトパラメータ値が各々８、１０であることを指示する１０１、１１０のうちの１つの場合には、前記直交性と関連した情報は直交性カバーコードとして［＋１、−１］が全てのＮレイヤに対して同一に割り当てられることを特徴とする、請求項１６に記載の端末装置。
【請求項１８】
2013530599.tif 000001